(57)【要約】  電子機器は、被呼／発呼装置と呼を確立することを可能にする呼回路と、上記被呼／発呼装置との間で確立された呼を電子機器が保留状態にすることを可能にする保留回路とを含む。電子機器は、メディアプレーヤと、呼回路、保留回路、及びメディアプレーヤと協働して、呼が保留状態にされたときメディアオブジェクトを被呼／発呼装置へ送信する制御装置とを更に有する。
2009531918.tif 000002
【特許請求の範囲】
【請求項１】
電子機器であって、
前記電子機器が被呼／発呼装置との間で呼を確立することを可能にする呼回路と、
前記被呼／発呼装置との間で確立された前記呼を前記電子機器が保留状態にすることを可能にする保留回路と、
メディアプレーヤと、
前記呼が保留状態にされているとき、前記呼回路、前記保留回路、及び前記メディアプレーヤと協働して、前記被呼／発呼装置に対しメディアオブジェクトを送信する制御装置と、
を備えることを特徴とする電子機器。
【請求項２】
前記メディアプレーヤは、前記メディアオブジェクトを前記被呼／発呼装置にストリーミングすることを特徴とする請求項１に記載の電子機器。
【請求項３】
前記メディアオブジェクトを前記被呼／発呼装置に送信するとき、前記メディアプレーヤは、前記メディアオブジェクトを音声信号として再生することを特徴とする請求項１に記載の電子機器。
【請求項４】
複数のメディアオブジェクトのライブラリを更に備え、前記制御装置は、前記被呼／発呼装置に送信する前記メディアオブジェクトをユーザが前記ライブラリから選択することを可能にすることを特徴とする請求項１に記載の電子機器。
【請求項５】
複数のメディアオブジェクトのライブラリを更に備え、前記制御装置は、前記被呼／発呼装置の識別子に応じて前記ライブラリの中から選択された前記メディアオブジェクトを送信することを特徴とする請求項１に記載の電子機器。
【請求項６】
複数のメディアオブジェクトのライブラリを更に備え、前記制御装置は、前記ライブラリの中からランダムに選択された前記メディアオブジェクトを送信することを特徴とする請求項１に記載の電子機器。
【請求項７】
前記メディアオブジェクトはオーディオオブジェクトを含むことを特徴とする請求項１に記載の電子機器。
【請求項８】
前記メディアオブジェクトはビジュアルオブジェクトを含むことを特徴とする請求項１に記載の電子機器。
【請求項９】
前記メディアオブジェクトは広告を表すことを特徴とする請求項１に記載の電子機器。
【請求項１０】
電子機器であって、
前記電子機器が被呼／発呼装置との間で呼を確立することを可能にする呼回路と、
前記電子機器が前記被呼／発呼装置との間で確立された前記呼が保留状態にされているかどうかを検出することを可能にする保留検出回路と、
メディアプレーヤと、
音声出力装置及びディスプレイのうちの少なくともいずれか一方と、
前記呼回路と、前記保留検出回路と、前記メディアプレーヤと協働して、前記呼が保留状態にされているものとして検出されたとき、前記音声出力装置と前記ディスプレイのうちの少なくともいずれか一方を介してメディアオブジェクトを再生する制御装置と、
を備えることを特徴とする電子機器。
【請求項１１】
複数のメディアオブジェクトのライブラリを更に備え、前記制御装置は、再生する前記メディアオブジェクトをユーザが前記ライブラリから選択することを可能にすることを特徴とする請求項１０に記載の電子機器。
【請求項１２】
複数のメディアオブジェクトのライブラリを更に備え、前記制御装置は、前記被呼／発呼装置の識別子に応じて、前記ライブラリの中から再生する前記メディアオブジェクトを選択することを特徴とする請求項１０に記載の電子機器。
【請求項１３】
複数のメディアオブジェクトのライブラリを更に備え、前記制御装置は、再生する前記メディアオブジェクトを前記ライブラリの中からランダムに選択することを特徴とする請求項１０に記載の電子機器。
【請求項１４】
前記メディアオブジェクトはオーディオオブジェクトを含むことを特徴とする請求項１０に記載の電子機器。
【請求項１５】
前記メディアオブジェクトはビジュアルオブジェクトを含むことを特徴とする請求項１０に記載の電子機器。
【請求項１６】
電子機器であって、前記電子機器が被呼／発呼装置との間で呼を確立することを可能にする呼回路と、前記被呼／発呼装置との間で確立された前記呼を前記電子機器が保留状態にすることを可能にする保留回路と、メディアプレーヤとを備える電子機器と共に用いられる機械可読媒体に記憶されたコンピュータプログラムであって、前記コンピュータプログラムが制御装置によって実行されたとき、前記呼回路と、前記保留回路と、前記メディアプレーヤと協働して、前記呼が保留状態にされているときに、メディアオブジェクトを前記被呼／発呼装置に対して送信するステップと、前記呼が保留状態にされているものとして検出されたときに、音声出力装置及びディスプレイのうちの少なくともいずれか一方を介してメディアオブジェクトを再生するステップとのうちの少なくともいずれか一方のステップを実行することを特徴とするコンピュータプログラム。
【発明の詳細な説明】
【技術分野】
【０００１】
本発明は、電子機器に関し、特に、通信ネットワーク内において使用される、個人用の通話機能を有する電子機器に関する。
【背景技術】
【０００２】
ここ数１０年の間で、携帯電子装置などの電子機器の普及が進み、その普及度は上昇を続けている。通信分野において、デジタル電話機、移動電話機、ページャ、コミュニケータ、電子手帳、携帯情報端末（ＰＤＡ）、スマートフォンなどのような電子機器の進歩によって、すべての人が１台又はそれ以上の異なる機器を所有しているように見える。
【０００３】
実際、ユーザは移動電話機などの電子機器をお気に入りのアイテムとみなしている。多数の様々なタイプの電子機器によって今日ユーザは、電子機器を用いて自分の経験をカスタマイズすることが可能となっている。例えば、移動電話機のユーザは、特別の壁紙、スクリーンセーバ、着信音、バナー、筐体のカラーなどを選択することができる。個々の選択によって、更に移動電話機はユーザの好みと、お気に入りにカスタマイズされる。したがって、移動電話機はユーザ自身の個性の拡大になっている。
【発明の開示】
【発明が解決しようとする課題】
【０００４】
自分の経験をカスタマイズするユーザ機能についてはこれまで改善されているものの、依然として限界があった。例えば、壁紙、着信音、バナー、筐体のカラーなどのユーザによる選択はユーザの視点から移動電話機を個性的なものするものである。しかし、このような選択は、ユーザ移動電話機に関わる呼の他端における被呼／発呼装置とユーザの個性を共有したり、拡大したりするためにはほとんど役に立たない。被呼／発呼装置はユーザの壁紙選択、着信音などを見たり、聞いたりすることはできない。
【０００５】
移動電話機のような現行の電子機器に関連する上記の欠点に鑑み、呼の他端にある被呼／発呼装置に関してまでもユーザを個性的なものにしたいという電子機器に対する強い要望がある。
【課題を解決するための手段】
【０００６】
本発明の１つの態様によれば、電子機器は、該電子機器が被呼／発呼装置と呼を確立することを可能にする呼回路と、該被呼／発呼装置と確立された呼を保留状態にすることができる保留回路とを含む。電子機器は、呼が保留状態にされているとき、メディアプレーヤと、呼回路、保留回路及びメディアプレーヤと協働してメディアオブジェクトを被呼／発呼装置へ送信する制御装置とを更に含む。
【０００７】
本発明の別の態様によれば、メディアプレーヤはメディアオブジェクトを被呼／発呼装置にストリーミングする。
【０００８】
本発明の別の態様によれば、メディアプレーヤは、メディアオブジェクトを被呼／発呼装置に送信するとき、音声信号としてメディアオブジェクトを再生する。
【０００９】
更に別の態様によれば、電子機器は複数のメディアオブジェクトのライブラリを更に含み、制御装置は、被呼／発呼装置に送信するメディアオブジェクトをユーザがライブラリから選択することを可能にする。
【００１０】
更に別の態様によれば、電子機器は複数のメディアオブジェクトのライブラリを更に含み、制御装置は被呼／発呼装置の識別子に応じてメディアオブジェクトのライブラリの中から選択されたメディアオブジェクトを送信する。
【００１１】
本発明の別の態様によれば、電子機器は複数のメディアオブジェクトのライブラリを更に含み、制御装置はメディアオブジェクトのライブラリの中からランダムに選択されるメディアオブジェクトを送信する。
【００１２】
別の態様によればメディアオブジェクトはオーディオオブジェクトを含む。
【００１３】
更に別の態様によればメディアオブジェクトはビジュアルオブジェクトを含む。
【００１４】
更に別の態様ではメディアオブジェクトは広告を表す。
【００１５】
本発明の別の態様によれば、電子機器が提供され、該電子機器には、この電子機器が被呼／発呼装置と呼を確立することを可能にする呼回路と、上記被呼／発呼装置と確立された呼が保留されているかどうかを電子機器が検出することを可能にする保留検出回路とが含まれる。更に、電子機器には、メディアプレーヤと、音声出力装置及びディスプレイのうちの少なくともいずれか一方と、制御装置とが含まれる。制御装置は、呼回路と、保留検出回路と、メディアプレーヤと協働して、呼が保留状態にされているものとして検出されたとき、該メディアプレーヤは、音声出力装置とディスプレイのうちの少なくともいずれか一方を介してメディアオブジェクトを再生する。
【００１６】
別の態様によれば、電子機器は複数のメディアオブジェクトのライブラリを更に含み、制御装置は、ユーザが再生するメディアオブジェクトをライブラリから選択することを可能にする。
【００１７】
更に別の態様によれば、電子機器は複数のメディアオブジェクトのライブラリを更に含み、制御装置は、被呼／発呼装置の識別子に応じてそのライブラリの中から再生するメディアオブジェクトを選択する。
【００１８】
更に別の態様では、電子機器は複数のメディアオブジェクトのライブラリを更に含み、制御装置は、再生するメディアオブジェクトをそのライブラリの中からランダムに選択する。
【００１９】
本発明の更に別の態様によれば、被呼／発呼装置と呼を確立することを可能にする呼回路と、被呼／発呼装置との間で確立された呼を保留状態にすることを可能にする保留回路と、メディアプレーヤとを含む電子機器と共に用いられる機械可読媒体に記憶されたコンピュータプログラムが提供される。このコンピュータプログラムが制御装置によって実行されたとき、呼回路、保留回路、及びメディアプレーヤと協働して、呼が保留状態にされているときに、メディアオブジェクトを被呼／発呼装置に対して送信するステップと、呼が保留状態にされているものとして検出されたときに、音声出力装置及びディスプレイとのうちの少なくともいずれか一方を介してメディアオブジェクトを再生するステップとのうちの少なくともいずれか一方のステップを実行する。
【００２０】
本発明は、上述の目的及び関連する目的を達成するために、本明細書で以下十分に説明する特徴と、特に請求の範囲で定義する特徴とを有する。以下の説明と添付図面とによって、本発明の例示の実施形態が詳細に説明される。これらの実施形態は本発明の原理を用い得る種々の方法のうちのほんのいくつかの方法を示すものにすぎない。本発明の別の目的、効果及び新規の特徴は、図面と共に考察されるとき以下の発明の詳細な説明から明らかになる。
【００２１】
本明細書で使用される場合、「備える／備えている（comprises/comprising）」という用語は、言及された特徴、整数、ステップ又は構成の存在を特定するために用いられるが、これら以外の特徴、整数、ステップ、構成、又はこれらのグループの存在又は追加を排除するものではない、という点を強調しておく。
【発明を実施するための最良の形態】
【００２２】
以下図面を参照しながら本発明について説明する。同じ要素を指すために図面を通して同じ参照番号を用いることにする。
【００２３】
本明細書に記載されている「電子機器」という用語は、（陸線電話などの）一般的な公衆交換電話網（ＰＳＴＮ）並びに携帯用無線通信機器のような様々な種類の通信設備を含むものとする。「移動無線端末」あるいは「携帯用無線通信機器」という用語は、移動電話機、ページャ、電子手帳、携帯情報端末（ＰＤＡ）、スマートフォンなどのコミュニケータなどのようなすべての機器を含む用語である。以下では、主として移動電話用通信ネットワークに関連して本発明の説明を行う。ただし、本発明は移動電話用通信ネットワークに限定することを意図したものではないことは理解できよう。本発明は、対応する通信ネットワーク内にあるいずれのタイプの電子機器にも関連するものである。
【００２４】
図１Ａは、本発明による移動電話機１６を示す図である。本明細書に記載のような移動電話機１６は、本発明によるユーザ移動電話機１６、又は、ユーザ移動電話機１６との呼が双方の間で確立された被呼／発呼移動電話機１６の双方を表すことができる。移動電話機１６がユーザ移動電話機１６を意味しているか、あるいは被呼／発呼移動電話機１６を意味しているかは、当業者であれば本明細書に記載の説明の文脈から容易に判断できることである。更に、本発明の移動電話機１６は本明細書に記載の特徴を有するものではあるが、当業者には、被呼／発呼移動電話機１６が必ずしも同じ特徴を有する必要はないことは理解できるであろう。単に便宜上、単一のタイプの移動電話機が本明細書に記載されているにすぎない。
【００２５】
図１Ａに示す移動電話機１６は、「レンガ」又は「ブロック」デザインのハウジングを有するものとして示されているが、本発明の範囲から逸脱することなく、シェル型ハウジングやスライド型ハウジングのような別の種類のハウジングを利用してもよいことは理解できよう。
【００２６】
移動電話機１６はディスプレイ３４及びキーパッド３６を含む。一般に行われているように、ディスプレイ３４は、動作状態、時刻、連絡先情報、種々のナビゲーションメニュー等などの情報をユーザに対して表示し、これらの情報によってユーザは移動電話機１６の種々の機能を利用することが可能となる。また、キーパッド３６は種々のユーザ入力操作を提供するかぎり従来方式のキーパッドであってもよい。例えば、キーパッド３６は、典型的には、電話番号、電話リスト、連絡先情報、覚え書き等のような文字数字情報の入力を可能にするための文字数字キーを含む。更に、キーパッド３６は、典型的には、通話の開始又は応答のための「呼送信」キー３８と、通話の終了すなわち「ハングアップ」のための「呼終了」キー４０などの特定のファンクションキーとを含む。特定のファンクションキーはまた、一般に行われているように、例えば、様々な電話機能、プロファイル、設定等を選択するためにディスプレイ３４に表示されるメニューを通じて、ナビゲートを行うためのメニューナビゲーションキー４２ａ、４２ｂ及び４２ｃを含むものであってもよい。キーパッド３６の中に含まれる別のキーは、音量キー（図示せず）、電源オン／オフキー（やはり図示せず）、並びに、ウェブブラウザ開始キー、カメラ・キーなどのような種々の別のキーを含むものであってもよい。
【００２７】
移動電話用キーパッド３６には呼を保留状態にするための「保留」ファンクションキー４４も含まれる。周知のように、移動電話機１６のユーザが、１又は２以上の通話相手を保留状態にすることを望む場合が時としてある。電話機を「保留状態」にすることによって、通常の音声通話の相手側の被呼／発呼装置はユーザ移動電話機１６からオーディオ信号を受信しなくなる。オーディオ信号とビデオ信号の双方がユーザ移動電話機１６と被呼／発呼装置との間で交換されるテレビ電話の場合、電話機を「保留状態」にすることによって、ユーザ移動電話機１６から出されるオーディオ信号とビデオ信号のうちの少なくとも１つの又は両方の信号が被呼／発呼装置へ送信されなくなる。換言すれば、被呼／発呼装置は、ビデオ信号をユーザ移動電話機１６から受信するがオーディオ信号は受信しないか、オーディオ信号を受信するがビデオ信号は受信しないか、あるいは、オーディオ信号又はビデオ信号のいずれも受信しないかのいずれかを行うことになる。
【００２８】
図１Ａの実施形態では、移動電話機１６は、専用の「保留状態」と、「保留状態」と「保留オフ状態」との間で呼を切り替えるファンクションキー４４を含む。上記とは別に、移動電話機１６は２以上の機能をキーパッド３６上の所定のキーと関連づけることができる。例えば、移動電話機には、一般に「呼送信」キー３８に関連づけられた保留機能が設けられる。通話を行うとき、ユーザは電話番号を入力し、「呼送信」キー３８を押す。着呼を受信したとき、「呼送信」キー３８は「通話応答」キーとして動作するようにプログラムすることができる。通話に参加するとき、「呼送信」キー３８は呼を保留状態にするための「呼保留」キーとして機能することができる。種々の周知の理由のうちのいずれかのためにユーザが呼を保留状態にしたいと望む場合がある。例えば、別の呼が着信したとき、ユーザは電話に出ることができる。専用の保留キー４４を押すことによって、ユーザは現在の呼を保留状態にし、それから、新たな着呼に応答することができる。上記とは別に、多機能保留キーの場合、ユーザは、現在の呼を保留状態にするために一度「呼送信」キー３８を押し、それから、２度目に新たな着呼に応答することができる。
【００２９】
当業者であれば、呼を保留状態にするためにユーザが利用する特定のメカニズムは本発明には無関係であることを理解するであろう。移動電話機１６は単に、ユーザが呼を保留状態にすることを可能にする手段を必要とするものである。呼を保留状態にするためのキーの特定の形態又はフォーマットは本発明の範囲を限定することを意図したものではない。
【００３０】
図１Ａの実施形態では、移動電話機１６は、ディスプレイ３４と、個々のキーパッド３６とを含む。代替の実施形態では、ディスプレイ３４は１以上のキーを含むタッチスクリーンを備えることができる。更に別の実施形態では、ディスプレイ３４は、非常に限られたキーパッド３６を含むか、又は全くキーパッド３６を含まないようにすることを意図して、電話機１６を動作させるために用いるすべての又はほぼ全てのキーを含むタッチスクリーンを備えることができる。理解されるように、キーパッド３６又はタッチスクリーン／ディスプレイ３４の中に含まれるキーの特定の形態及び機能は、その最も広い意味で本発明には無関係である。
【００３１】
テレビ電話の実行に適した移動電話機１６に関連して、本発明の特徴について以下説明する。例えば、被呼／発呼装置側のある人物のビデオが通信ネットワーク１０を介して送信され、本発明によるユーザ移動電話機１６に表示される。同様に、被呼／発呼装置は移動電話機１６のユーザのビデオを表示することになる。周知のように、移動電話機１６は、被呼／発呼装置による通話中にビデオ並びにオーディオを送受信する機能を備えている。更に、移動電話機１６は周知のようにテレビ会議に参加する機能を備えている。テレビ電話会議と非テレビ電話会議の双方の設定でオーディオ及びビデオの通信を行う特別の技術は従来方式のものと考えられる。したがって、簡潔さを旨として、このような技術についての詳細な説明は省略する。一方、従来方式の音声通信の場合、本発明の特徴の多くを更に単純に楽しむことが可能となる。本発明は、その最も広い意味において、例えばオーディオとビデオの少なくともいずれの場合であれ、特定の形の通信だけに範囲を限定するものではない。
【００３２】
図１Ｂは、移動電話機１６を示す図であるが、この場合、移動電話機１６は、本発明によるユーザ移動電話機１６と共に呼の他端にある被呼／発呼装置を構成する。図１Ｂはユーザ移動電話機１６が呼を保留状態にした状況を表す図である。図４を参照して以下で説明するように、ユーザは保留キー４４を押すことによって、あるいは別様に呼を保留状態にすることができる。移動電話機１６は、マイクロホンからのオーディオをミュートすることによって、また、テレビ電話の場合には、（所望の場合）移動電話機のカメラからのビデオもミュートすることによって応答を行う。通常送信されるオーディオとビデオの代わりに、ユーザ移動電話機１６はユーザにより予め選択されたメディアオブジェクトを被呼／発呼装置へ通信する。メディアオブジェクトのオーディオ部分が呼の音声部分の代わりに通信され、そして、メディアオブジェクトのビデオ部分は、図１Ｂの呼のビデオ部分の代わりに送信される。例示の実施形態では、ユーザ移動電話機１６は、保留を要求している移動電話機１８のユーザが予め選択した歌などのオーディオを含むメディアオブジェクトを提供する。例えば図示のように、オーディオは移動電話機によってスピーカ４６を通じて再生される。更に、１以上の静止画像又はビデオのようなメディアオブジェクトの目に見える部分はディスプレイ３４上に表示される。その結果、移動電話機１６のユーザが呼を保留状態にすると、呼の他端にある通話相手の移動電話機１６は、ユーザ移動電話機１６により提供されるオーディオとビデオ画像の少なくともいずれかを楽しむことが可能となる。したがって、オーディオ及びビデオは呼を保留状態にした移動電話機１６のユーザの個性の拡大になる。図１Ｂに示されているように、ディスプレイ３４は、呼が保留状態にされていることを視覚的に示すために短い「保留 (On Hold)」メッセージを表示することも可能である。
【００３３】
図１Ｃは本発明の別の実施形態を示す図であり、この実施形態によって、保留状態にされた呼の他端にある移動電話機１６は、ユーザ移動電話機１６から得られるメディアオブジェクトを介して提供される企業ロゴの形又は別のタイプの広告を受信し、再生する。例えば、図１Ｃは、スピーカ４６を介して再生されるコマーシャルソングと一緒にディスプレイ３４上に表示される短いコマーシャルビデオを表す図である。したがって、発呼者が呼を保留状態にしている間、販売の専門家たちは、他端の発呼者に短い販促用ビデオを提供できることになる。
【００３４】
図１Ｄは、オーディオ部分のみを含むメディアオブジェクトがユーザ移動電話機１６によって被呼／発呼装置へ提供されるシンプルな実施形態を示す図である。
【００３５】
図２はユーザ移動電話機１６の機能ブロック図を表す。移動電話機１６の構成は、本明細書に記載の保留機能を除いて一般に従来方式の構成である。好適には、保留機能は、主として移動電話機１６内のアプリケーションソフトウェアを介して実現されることが望ましい。しかし、当業者には、本発明の範囲から逸脱することなく、主としてソフトウェア、ハードウェア、ファームウェア、又はこれらの組み合わせを介して上記のような処理を実行できることは明らかである。
【００３６】
移動電話機１６は、移動電話機１６の機能と動作の制御全体を行うように構成される主制御回路４８を含む。制御回路４８は、本明細書でまとめて単にＣＰＵ５０と呼ぶＣＰＵ、マイクロホンロコントローラ、又はマイクロホンロプロセッサなどを含むことができる。ＣＰＵ５０は、制御回路４８内のメモリ（図示せず）と別々のメモリ５２との少なくともいずれかに記憶されたコードを実行して、移動電話機１６内の移動電話機能５４の従来の動作を行うことを目的とするものである。しかし、更に、ＣＰＵ５０は、メモリ５２内に記憶されたコードを本発明に従って実行して、保留機能５６及びメディアプレーヤ機能５８を実行することも目的とするものである。
【００３７】
以下において更に詳細に説明するように、保留機能５６によって移動電話機１６のユーザは呼を保留状態にすることができるようになる。呼を保留状態にすると、保留機能５６は、メディアオブジェクトを呼の他端にある被呼／発呼装置へ送信する役割を果たす。更に、保留機能５６によって、ユーザは、保留オフにして、メディアオブジェクトの転送を停止し、通常の通信を再開することができるようになる。
【００３８】
メディアプレーヤ機能５８は、一般に行われているように、移動電話機１６内に記憶されているメディアオブジェクトを再生する役割を果たす。しかし、更に、呼が保留状態にされているとき、メディアプレーヤ機能５８を用いて、メディアオブジェクトを呼の他端にある被呼／発呼装置へ提供することも可能である。以下詳細に論じるように、移動電話機１８は、種々の公知の通信技術によって、呼保留中にメディアオブジェクトを被呼／発呼装置へ送信することができる。移動電話機の中には、メディアプレーヤ機能５８を用いてメディアオブジェクトを再生し、通話中に通常提供されるオーディオとビデオの代わりに、既存の呼のオーディオ及びビデオ部分を用いて、移動電話機１６を介してオーディオ及びビデオの通信を行うステップを含むことができるものもある。上記とは別に、メディアプレーヤ機能５８は、代わりに従来のファイル転送技術を用いてメディアオブジェクトファイルを被呼／発呼装置へ転送する手段として単に機能することができる。特別の例として、メディアオブジェクトプレーヤ機能は、従来のメディアストリーム技術を用いて、メディアオブジェクトを被呼／発呼装置へストリーミングする役割を果たすことも可能である。
【００３９】
移動電話機１６は、好適にはメディアライブラリ６２を含むことが望ましい。メディアライブラリ６２は、ユーザが、呼保留中に被呼／発呼装置へ通信するために選択できる選択元のオーディオファイル、ビデオファイル、映像／画像ファイルなどの形の種々のメディアオブジェクトを記憶する記憶媒体を表す。メディアオブジェクトは様々な歌、広告、音楽ビデオ、個人用ビデオ、販促用ビデオなどを含むものであってもよい。メディアライブラリ６２を構成する記憶媒体は、好適には大容量フラッシュメモリ又はマイクロ・ハードドライブなどの不揮発性メモリであることが望ましい。これらの記憶媒体の各々は個人用メディアプレーヤにおいて周知のものである。更に限られた状況では、比較的小容量のコンパクトディスク（ＣＤ）、ミニディスク、フラッシュカードなどによってメディアライブラリ６２を表すことができる。これら記憶媒体の各々は、そこに記憶されているメディアオブジェクトを再生するために移動電話機１６の中へ挿入することができる。上記とは別に、メディアオブジェクトをリモート記憶装置にも常駐させることができる。例えば、メディアオブジェクトは、無線インターネット接続を介して移動電話機１６によってもアクセス可能なリモートサーバ上に常駐することができる。
【００４０】
コンピュータプログラミングの当業者、及び、特に移動電話用アプリケーションプログラミングの当業者には、本明細書に記載の機能を実行するために移動電話機１６をプログラムする方法は、本明細書に記載の説明から自明のことに思われるであろう。したがって、具体的なプログラミングコードに関する詳細については簡潔さを旨として省略する。また、本発明の好ましい実施形態に従って、保留機能５６が、ＣＰＵ５０と、メモリ５２内のアプリケーションソフトウェアとを介して実行されるが、本発明の範囲から逸脱することなく、専用ハードウェア、ファームウェア、ソフトウェア、又はこれらを組み合わせたものを介して上記のような機能を実行することも可能である。
【００４１】
引き続き図２を参照すると、移動電話機１６は無線回路６６に結合されたアンテナ６４を含む。無線回路６６には、一般に行われているように、アンテナ６４を介して信号の送受信を行うための無線周波数送受信機が含まれる。移動電話機１６には、無線回路６６により送信される／無線回路６６から受信されるオーディオ信号を処理するためのオーディオ処理回路６８が更に含まれる。更に、オーディオ処理回路６８は、メディアオブジェクトの再生中に、制御回路４８により提供される音声信号を処理する役割を果たす。一般に行われているように、移動電話機１６を介してユーザが聴き、通話できるようにする前述のスピーカ４６とマイクロホン７０は、オーディオ処理回路６８に結合されている。更に、オーディオ処理回路６８に結合されたヘッドホンジャック７２が提供される。このヘッドホンジャックによって、ヘッドセットを移動電話機１６に接続できるようになる。
【００４２】
移動電話機１６には図２に示すようなビデオ信号処理回路７６も含まれる。このビデオ信号処理回路によって、移動電話機１６は、画像やビデオを含むメディアオブジェクトの再生をディスプレイ３４において行うことが可能となる。更に、ビデオ信号処理によって、電話機１６の中に含まれているカメラ７８を介して移動電話機１６から得られる画像やビデオを更にキャプチャすることが可能となる。カメラ７８は、図１Ａ乃至図１Ｄに示されているように、好適には移動電話機１６の表面に取り付けられ、ユーザの画像をキャプチャできるようにすることが望ましい。テレビ電話中に、カメラ７８は画像をキャプチャし、次いでこの画像をオーディオと共に呼の他端にある被呼／発呼装置へ通信する。
【００４３】
移動電話機１６は、制御回路４８に結合される、前述のディスプレイ３４、キーパッド３６、及び、特に「保留キー」４４も含む。移動電話機１６は更にＩ／Ｏインタフェース８０を含む。Ｉ／Ｏインタフェース８０は、移動電話機１６をベースにするマルチエレメントコネクタのような多数の典型的な移動電話機用Ｉ／Ｏインタフェースのうちの任意のインタフェースの形のものであってもよい。一般に行われているように、Ｉ／Ｏインタフェース８０は移動電話機１６を用いて、移動電話機１６内の電源装置８２を充電するバッテリ充電器と結合することができる。更に、又は代替例において、Ｉ／Ｏインタフェース８０は、有線の個人用ハンズフリーアダプタ（図示せず）、あるいは、ブルートゥース（登録商標）ベースのハンズフリーアダプタと共に使用するブルートゥース（登録商標）アダプタ（やはり図示せず）と移動電話機１６を接続する役割を果たすことができる。更に、Ｉ／Ｏインタフェース８０は、データケーブルなどを介してパーソナルコンピュータ又は別の装置と移動電話機１６とを接続する役割を果たすことができる。別の代替例として、Ｉ／Ｏインタフェース８０は、メディアプレーヤ機能の一部として、改善された閲覧／聴取をサポートするオーディオ増幅器、スピーカ、ビデオディスプレイのうちの少なくともいずれかを含むドッキング・ステーションと移動電話機１６とを接続する役割を果たすこともできる。
【００４４】
更に、移動電話機１６はオプションの保留オン／オフ検出器８４を含むことができる。保留オン／オフ検出器８４は、被呼／発呼装置への、又は、被呼／発呼装置からの音声情報が、移動電話機１６によって受信／送信されたかどうかを検出するように設計される。例えば、保留オン／オフ検出器８４は、無線回路６６を介して被呼／発呼装置から音声信号を受信するか、あるいは、被呼／発呼装置へ送信される音声信号をモニタする。音声信号が所定の時間（例えば３秒）以上の間、所定の振幅しきい値を超えなければ、呼が保留されていることを示すものとして、オン／オフ検出器８４は無音状態を検出するように設計される。上記とは別に、保留オン／オフ検出器８４が被呼／発呼装置への又は被呼／発呼装置からの、所定の振幅を超える音声信号を検出した場合、保留オン／オフ検出器８４は呼が保留状態にされていないと判断することになる。したがって、移動電話機１８のユーザが呼を保留状態にしていなくて、しかも（３秒などの）所定の時間以上の間、呼に無音状態が生じていれば、保留オン／オフ検出器８４は、被呼／発呼装置のユーザが呼を保留状態にしていると判断する必要がある。呼に無音状態が生じていなければ、保留オン／オフ検出器８４は呼が保留状態になっていないと判断する。保留オン／オフ検出器８４は対応する制御信号を制御回路４８へ出力する。
【００４５】
以下、図５に従って更に詳細に説明するように、保留オン／オフ検出器８４は、メディアプレーヤ機能５８と協働して、他端の被呼／発呼装置が呼を保留状態にしているような時間中、歌、ビデオなどにより移動電話機１８のユーザへ娯楽を提供する。保留オン／オフ検出器８４は、理解されるように、ハードウェア、ソフトウェア、ファームウェア、又はこれらの組み合わせを介して実装することが可能である。
【００４６】
ここで図３Ａ、３Ｂ、３Ｃを参照すると、ユーザが本発明に従って適切な選択を行うことができる方法を例示する、ディスプレイ３４に提示された例示のユーザインターフェイスが示されている。移動電話機１６のユーザが本発明の呼保留機能の起動を望んでいると仮定する。ユーザは移動電話機１６のメニューボタンを押して、図３Ａに示されているようにメニュー選択の表示を提示することができる。ユーザは、図３Ｂに示されているように、次のメニューへ進むために「設定」選択を選ぶことができる。図３Ｂに、「保留設定」の調整オプションがユーザに提示されている。「保留設定」を選択することによって、図３Ｃに表される表示がユーザに提示される。このときユーザは、着信音、壁紙などの選択に関して用いられるような従来方式の原理を用いて保留設定をカスタマイズすることができる。例えば、図３Ｃは、呼保留機能のオン／オフのオプションをユーザに提示する方法を示す図である。更に、ユーザは、保留されている呼の他端にある被呼／発呼装置へ配信されるメディアオブジェクトについて、オーディオオブジェクトを受信するか、ビデオオブジェクトを受信するか、あるいはそれらの組み合わせであるオーディオビデオオブジェクトを受信するかの選択を行うことができる。
【００４７】
図３Ｃに表されているように、移動電話機１６のユーザは個人用のメディアファイルを選択することもできる。図示されてはいないが、ユーザは特定の歌、個人用ビデオ、広告、販売促進用ビデオなどを選択して、保留されている呼の他端にある被呼／発呼装置へ送信するようにしてもよい。被呼／発呼装置によって呼が保留状態にされている場合には、ユーザは特定の歌、個人用ビデオなどを選択して、移動電話機１６本体内で再生することができる。更に、ユーザは、被呼／発呼装置へ通信する特定のメディアオブジェクトの選択と関連して用いられる様々な基準を入力するステップを選択することができる。例えば、（歌などの）特定のメディアオブジェクトと関連付けられるオプションを相手の被呼／発呼装置の識別子に基づいてユーザに提示することが可能である。上記とは別に、例えば送信するメディアオブジェクトをランダムに選択するオプションをユーザに提示することもできる。
【００４８】
次に図４を参照しながら、ユーザ移動電話機１６の立場から見て保留機能を実行するプロセスについて、以下本発明に基づいて説明する。最初に、ユーザがユーザ移動電話機１６と１以上の被呼／発呼装置との間で行われる呼に係属していると仮定する。このような標準的な呼又は会議電話がネットワーク内において確立されているものとする。移動電話機１６のステップ１１０からスタートして、ＣＰＵ５０は、ユーザが呼を保留状態にすることを要求したかどうかの判定を行う。ＣＰＵ５０は、例えば、ユーザが保留ファンクションキー４４を押すことによって、ユーザが呼を保留状態にすることを要求しているかどうかを検出することができる。保留要求が検出されなかった場合、ＣＰＵ５０はステップ１１０の周りでループし続けることになる。
【００４９】
ステップ１１０において判定されたようにユーザが呼を保留状態にすることを要求している場合、処理はステップ１１２へ進む。ステップ１１２において、ＣＰＵ５０は、図３Ａ乃至図３Ｃに関連して上述したようなユーザ選択に基づいて、被呼／発呼装置へ送信する特定のメディアオブジェクトを決定する。この場合もまた、ユーザは、例えば相手の被呼／発呼装置の識別子に基づいて被呼／発呼装置へ送信する特定のメディアオブジェクトを要求することができる。ユーザによる選択、相手の被呼／発呼装置の識別子などの情報に基づいて、ＣＰＵ５０は送信する特定のメディアオブジェクトを決定する。
【００５０】
ＣＰＵ５０はステップ１１４へ進み、このステップにおいて、通常のマイクロホン７０とカメラ７８からそれぞれ得られる通常のオーディオとビデオに代えて、メディアオブジェクトが被呼／発呼装置へ送信される。更に詳細には、ＣＰＵ５０は選択したメディアオブジェクトをメディアライブラリ６２から取得する。次いで、ＣＰＵ５０は、ステップ１１４において表されるような通常のオーディオとビデオの少なくともいずれかに代えて、オーディオとビデオの少なくともいずれかを被呼／発呼装置へ送信するステップへ進む。ＣＰＵ５０は何らかの好適な態様でメディアオブジェクトの送信を行うことができる。例えば、ビデオの場合には、メディアプレーヤ機能５８を介してオーディオ及びビデオデータを被呼／発呼装置へストリーミングして、帯域要件を減らすようにすることが望ましい。上記とは別に、帯域幅が利用可能な場合には、ユーザ移動電話機１６から得られる通常のオーディオとビデオの少なくともいずれかに代えて、ＣＰＵ５０は、メディアプレーヤ機能５８を介してオーディオとビデオの少なくともいずれかを単に再生して、リアルタイムで被呼／発呼装置へ出力するだけでよい。
【００５１】
ステップ１１６において、ＣＰＵ５０は、ユーザが呼保留の解除を要求しているかどうかの判定を行う。呼保留の解除を要求していなければ、ＣＰＵ５０はステップ１１４を経由してループし続け、メディアオブジェクトを被呼／発呼装置へ通信し続ける。ユーザが呼保留の解除を要求しているかどうかは、ユーザが保留ファンクションキー４４を例えば２度目に押圧するステップに基づいて決定することができる。ユーザが呼保留の解除を要求したことを検出すると、ＣＰＵ５０はステップ１１８へ進み、このステップにおいて、ＣＰＵ５０はメディアオブジェクトの被呼／発呼装置への通信を停止する。ステップ１１８において、ＣＰＵ５０は、ユーザ移動電話機１６と被呼／発呼装置との間での通常のオーディオ及びビデオ通信の少なくともいずれかに、移動電話機１６を復帰させる。この結果、移動電話機１６は通常の動作へ復帰し、それによって、移動電話機１６からのオーディオ及びビデオは、従来の呼の場合のように被呼／発呼装置へ送信され続けることになる。更に、ＣＰＵ５０はステップ１１０へ戻る。
【００５２】
したがって、保留された呼の他端の人は、移動電話機１６のユーザが個人的に選択したメディアオブジェクトを聴くことと、観ることの少なくともいずれかを行うことが可能となる。したがって、ユーザの個性が移動電話機１６それ自体を超えて拡大されることになり、その結果、拡大された楽しみが得られることになる。
【００５３】
図５は本発明の保留機能を示す図であり、この機能によって、移動電話機１６のユーザ自身は、被呼／発呼装置が呼を保留状態にする旨を決定したとき、選択済みのメディアオブジェクトを楽しむことになる。この場合も、ユーザ移動電話機１６と被呼／発呼装置との間の呼がすでに確立されていることが仮定されている。ステップ１２２からスタートして、ＣＰＵ５０は、上述したように保留オン／オフ検出器８４の出力信号を介して、呼が保留状態にされているかどうかの判定を行う。呼保留が検出されなければ、ＣＰＵ５０は、単に図示のようにステップ１２２の周りでループし続けることになる。呼保留がステップ１２２において検出された場合、ＣＰＵ５０はステップ１２４へ進む。ステップ１２４においてＣＰＵ５０は、呼保留中の再生用としてユーザが選択した特定のメディアオブジェクトを決定する。このような判定は、図３Ａ乃至図３Ｃと関連して上述したように、この場合もユーザによる選択に基づいて行われる。メディアオブジェクトが被呼／発呼装置へ通信される上記の場合と同様、再生すべき特定のメディアオブジェクトが相手の被呼／発呼装置の識別子に基づくものであるようにユーザが要求する場合もある。ユーザによる選択、相手の被呼／発呼装置の特定の識別子などのような情報に基づいて、ＣＰＵ５０は、再生すべき特定のメディアオブジェクトを決定する。
【００５４】
ステップ１２４に続いて、ＣＰＵ５０はステップ１２６へ進み、このステップにおいて、ＣＰＵ５０は選択済みのメディアオブジェクトをメディアライブラリ６２から取得する。次いで、ＣＰＵ５０は、メディアプレーヤ機能５８、スピーカ４６及び移動電話機１６のディスプレイ３４を介してユーザのために再生されるメディアオブジェクトのオーディオとビデオの少なくともいずれかの再生へ進む。ＣＰＵ５０は、別様に被呼／発呼装置から受信した通常のオーディオとビデオの少なくともいずれかの代わりに、再生するオーディオとビデオの少なくともいずれかをスピーカ４６及びディスプレイ３４に出力する。したがって、移動電話機１６のユーザは、保留状態にされたとき、自分の個人的選択を楽しむことになる。
【００５５】
ステップ１２８において、ＣＰＵ５０は、上述の保留オン／オフ検出器８４の出力信号によって表されるように呼保留が終了したかどうかの判定を行う。呼保留が終了していなければ、ＣＰＵ５０はステップ１２６を経由してループし続け、移動電話機１６は、選択済みのメディアオブジェクトによってユーザを楽しませ続ける。ステップ１２８において判定されるように呼保留が終了した場合、ＣＰＵ５０はステップ１３０へ進み、このステップにおいてＣＰＵ５０は、移動電話機１６を通常の動作へ戻らせる。この結果、移動電話機１６からのオーディオとビデオは通常の呼の場合のように被呼／発呼装置へ送信され続けることになる。更に、ＣＰＵ５０はステップ１２２へ戻る。
【００５６】
以上、いくつかの好ましい実施形態に関連して本発明について図示し、説明したが、本明細書を読み、理解するとき、当業者においては均等物や変更例が思い浮かぶであろうことは明らかである。本発明は、すべてのこのような均等物や変更例を含むものであり、請求の範囲によってのみ定義されるものである。
【図面の簡単な説明】
【００５７】
【図１Ａ】本発明の実施形態における例示の移動電話機の外観図。
【図１Ｂ】本発明の別の実施形態における被呼／発呼装置を表す例示の移動電話機の外観図。
【図１Ｃ】本発明の別の実施形態における被呼／発呼装置を表す例示の移動電話機の外観図。
【図１Ｄ】本発明の別の実施形態における被呼／発呼装置を表す例示の移動電話機の外観図。
【図２】本発明の実施形態における例示の移動電話機のブロック図。
【図３Ａ】本発明の実施形態における個人用発呼者保留機能を選択するための図２の移動電話機における表示の一例を表す図。
【図３Ｂ】本発明の実施形態における個人用発呼者保留機能を選択するための図２の移動電話機における表示の一例を表す図。
【図３Ｃ】本発明の実施形態における個人用発呼者保留機能を選択するための図２の移動電話機における表示の一例を表す図。
【図４】本発明による被呼／発呼装置に個人用呼保留を提供するために移動電話機をプログラムするための好適な例示のフローチャート。
【図５】本発明による内部で個人用呼保留を提供するために移動電話機をプログラムするための好適な例示のフローチャート。
【図２】
2009531918.tif 000003
【図３Ａ】
2009531918.tif 000004
【図３Ｂ】
2009531918.tif 000005
【図３Ｃ】
2009531918.tif 000006
【図４】
2009531918.tif 000007
【図５】
2009531918.tif 000008
【図１Ａ】
2009531918.tif 000009
【図１Ｂ】
2009531918.tif 000010
【図１Ｃ】
2009531918.tif 000011
【図１Ｄ】
2009531918.tif 000012
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
電子機器であって、
前記電子機器が被呼／発呼装置との間で呼を確立することを可能にする呼回路と、
前記被呼／発呼装置との間で確立された前記呼を前記電子機器が保留状態にすることを可能にする保留回路と、
複数のメディアオブジェクトのライブラリと、
メディアプレーヤと、
前記呼が保留状態にされているとき、前記呼回路、前記保留回路、前記ライブラリ、及び前記メディアプレーヤと協働して、前記被呼／発呼装置に対し前記ライブラリから選択されたメディアオブジェクトを送信する制御装置と、
を備えることを特徴とする電子機器。
【請求項２】
前記メディアプレーヤは、前記メディアオブジェクトを前記被呼／発呼装置にストリーミングすることを特徴とする請求項１に記載の電子機器。
【請求項３】
前記メディアオブジェクトを前記被呼／発呼装置に送信するとき、前記メディアプレーヤは、前記メディアオブジェクトを音声信号として再生することを特徴とする請求項１に記載の電子機器。
【請求項４】
前記制御装置は、前記被呼／発呼装置に送信する前記メディアオブジェクトをユーザが前記ライブラリから選択することを可能にすることを特徴とする請求項１に記載の電子機器。
【請求項５】
前記制御装置は、前記被呼／発呼装置の識別子に応じて前記ライブラリの中から選択された前記メディアオブジェクトを送信することを特徴とする請求項１に記載の電子機器。
【請求項６】
前記制御装置は、前記ライブラリの中からランダムに選択された前記メディアオブジェクトを送信することを特徴とする請求項１に記載の電子機器。
【請求項７】
前記メディアオブジェクトはオーディオオブジェクトを含むことを特徴とする請求項１に記載の電子機器。
【請求項８】
前記メディアオブジェクトはビジュアルオブジェクトを含むことを特徴とする請求項１に記載の電子機器。
【請求項９】
前記メディアオブジェクトは広告を表すことを特徴とする請求項１に記載の電子機器。
【請求項１０】
電子機器であって、
前記電子機器が被呼／発呼装置との間で呼を確立することを可能にする呼回路と、
前記電子機器が前記被呼／発呼装置との間で確立された前記呼が保留状態にされているかどうかを検出することを可能にする保留検出回路と、
メディアプレーヤと、
音声出力装置及びディスプレイのうちの少なくともいずれか一方と、
前記呼回路と、前記保留検出回路と、前記メディアプレーヤと協働して、前記呼が保留状態にされているものとして検出されたとき、前記音声出力装置と前記ディスプレイのうちの少なくともいずれか一方を介してメディアオブジェクトを再生する制御装置と、
を備えることを特徴とする電子機器。
【請求項１１】
複数のメディアオブジェクトのライブラリを更に備え、前記制御装置は、再生する前記メディアオブジェクトをユーザが前記ライブラリから選択することを可能にすることを特徴とする請求項１０に記載の電子機器。
【請求項１２】
複数のメディアオブジェクトのライブラリを更に備え、前記制御装置は、前記被呼／発呼装置の識別子に応じて、前記ライブラリの中から再生する前記メディアオブジェクトを選択することを特徴とする請求項１０に記載の電子機器。
【請求項１３】
複数のメディアオブジェクトのライブラリを更に備え、前記制御装置は、再生する前記メディアオブジェクトを前記ライブラリの中からランダムに選択することを特徴とする請求項１０に記載の電子機器。
【請求項１４】
前記メディアオブジェクトはオーディオオブジェクトを含むことを特徴とする請求項１０に記載の電子機器。
【請求項１５】
前記メディアオブジェクトはビジュアルオブジェクトを含むことを特徴とする請求項１０に記載の電子機器。
【請求項１６】
電子機器であって、前記電子機器が被呼／発呼装置との間で呼を確立することを可能にする呼回路と、前記被呼／発呼装置との間で確立された前記呼が保留状態にされているかどうかを前記電子機器が検出することを可能にする保留検出回路と、メディアプレーヤとを備える電子機器と共に用いられる機械可読媒体に記憶されたコンピュータプログラムであって、前記コンピュータプログラムが制御装置によって実行されたとき、前記呼回路と、前記保留検出回路と、前記メディアプレーヤと協働して、前記呼が保留状態にされているものとして検出されたときに、音声出力装置及びディスプレイのうちの少なくともいずれか一方を介してメディアオブジェクトを再生するステップを実行することを特徴とするコンピュータプログラム。
【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
電子機器であって、
前記電子機器が被呼／発呼装置との間で呼を確立することを可能にする呼回路と、
前記被呼／発呼装置との間で確立された前記呼を前記電子機器が保留状態にすることを可能にする保留回路と、
複数のメディアオブジェクトのライブラリと、
メディアプレーヤと、
前記呼が保留状態にされているとき、前記呼回路、前記保留回路、前記ライブラリ、及び前記メディアプレーヤと協働して、前記被呼／発呼装置に対し前記ライブラリから選択されたメディアオブジェクトを送信する制御装置と、
を備えることを特徴とする電子機器。
【請求項２】
前記制御装置は、前記被呼／発呼装置に送信する前記メディアオブジェクトをユーザが前記ライブラリから選択することを可能にすることを特徴とする請求項１に記載の電子機器。
【請求項３】
前記制御装置は、前記被呼／発呼装置の識別子に応じて前記ライブラリの中から選択された前記メディアオブジェクトを送信することを特徴とする請求項１に記載の電子機器。
【請求項４】
電子機器であって、
前記電子機器が被呼／発呼装置との間で呼を確立することを可能にする呼回路と、
前記電子機器が前記被呼／発呼装置との間で確立された前記呼が保留状態にされているかどうかを検出することを可能にする保留検出回路と、
メディアプレーヤと、
音声出力装置及びディスプレイのうちの少なくともいずれか一方と、
前記呼回路と、前記保留検出回路と、前記メディアプレーヤと協働して、前記呼が保留状態にされているものとして検出されたとき、前記音声出力装置と前記ディスプレイのうちの少なくともいずれか一方を介してメディアオブジェクトを再生する制御装置と、
を備えることを特徴とする電子機器。
【請求項５】
複数のメディアオブジェクトのライブラリを更に備え、前記制御装置は、再生する前記メディアオブジェクトをユーザが前記ライブラリから選択することを可能にすることを特徴とする請求項４に記載の電子機器。
【請求項６】
複数のメディアオブジェクトのライブラリを更に備え、前記制御装置は、前記被呼／発呼装置の識別子に応じて、前記ライブラリの中から再生する前記メディアオブジェクトを選択することを特徴とする請求項４に記載の電子機器。
【請求項７】
複数のメディアオブジェクトのライブラリを更に備え、前記制御装置は、再生する前記メディアオブジェクトを前記ライブラリの中からランダムに選択することを特徴とする請求項４に記載の電子機器。
【請求項８】
前記メディアオブジェクトはオーディオオブジェクトを含むことを特徴とする請求項４に記載の電子機器。
【請求項９】
前記メディアオブジェクトはビジュアルオブジェクトを含むことを特徴とする請求項４に記載の電子機器。
【請求項１０】
電子機器であって、前記電子機器が被呼／発呼装置との間で呼を確立することを可能にする呼回路と、前記被呼／発呼装置との間で確立された前記呼が保留状態にされているかどうかを前記電子機器が検出することを可能にする保留検出回路と、メディアプレーヤとを備える電子機器と共に用いられる機械可読媒体に記憶されたコンピュータプログラムであって、前記コンピュータプログラムが制御装置によって実行されたとき、前記呼回路と、前記保留検出回路と、前記メディアプレーヤと協働して、前記呼が保留状態にされているものとして検出されたときに、音声出力装置及びディスプレイのうちの少なくともいずれか一方を介してメディアオブジェクトを再生するステップを実行することを特徴とするコンピュータプログラム。
【国際調査報告】
2009531918.tif 000013
2009531918.tif 000014
2009531918.tif 000015